(57)【特許請求の範囲】
【請求項１】
天井面の開口部から天井裏に突設され、下面に吸込口、一側面に吐出口を設けた箱体状のフランジを有した樹脂製のフレームと、前記フレーム内部に設けられ、下面に前記吸込口と一側面に前記吐出口と連通する送風機吐出口を有したケーシング内部に回転羽根を設けた送風機と、前記吐出口から突設され、屋外に連通したダクトを接続する樹脂製のアダプタを備え、前記フレームに接触する側の前記アダプタに凹部と係止リブを設け、前記フレームには、可とう性を付与するための切り欠きを有した係止片を設け、前記フレームに前記アダプタを係合させるときは前記係止爪と前記係止リブとを係合させ、前記係止片を前記フレーム内側から押してたわませることで前記係止爪と前記係止リブとの係合を外すものであって、前記アダプタの前記凹部に、前記フランジと前記係止リブとの間に突起部を設けたことを特徴とする換気装置。
【請求項２】
係止爪と係止リブのそれぞれにお互い接触する面に、接触して係合を誘導する勾配部を設けたことを特徴とする請求項１記載の換気装置。
【請求項３】
勾配部を、係止爪は上方から下方に向かいアダプタ側に傾斜させ、係止リブは下方から上方に向かいフレーム側に傾斜させたことを特徴とする請求項１または２記載の換気装置。
【請求項４】
フレームのフランジに、係止片を動かす向きを表示する矢印表示を設けたことを特徴とする請求項１〜３のいずれかに記載の換気装置。
【請求項５】
アダプタとフレームが係合時においては係止リブと係止爪との間は隙間を有する構成とした請求項１〜４のいずれかに記載の換気装置。
【請求項６】
フレームの材質を、軟質の樹脂で構成したことを特徴とする請求項１〜５のいずれかに記載の換気装置。
【請求項７】
フレーム内側の係止片に、滑り止め部を設けたことを特徴とする請求項１〜６のいずれかに記載の換気装置。
【請求項８】
フランジの係止片が接触する面に、接触したら音がなる確認音手段を設けたことを特徴とする請求項１〜７のいずれかに記載の換気装置。
【請求項９】
アダプタの左右端面にアダプタ誘導溝、フレーム側にフレーム誘導溝を設けたことを特徴とする請求項１〜８のいずれかに記載の換気装置。
【発明の詳細な説明】
【技術分野】
【０００１】
本発明は、天井等に設置されて換気を行う換気装置に関する。
【背景技術】
【０００２】
従来、この種の換気装置としては、アダプタから換気装置本体を取り外す際、アダプタの係止孔と係合しているフレームの係止爪をたわませて取り外す換気装置が知られている（例えば、特許文献１参照）。
【０００３】
以下、その換気装置について、図７を参照しながら説明する。
【０００４】
図７に示すように、アダプタ１０１の下部には、係止孔１０２が穿孔されており、この係止孔１０２に対応するフレーム１０３の側面下部には係止爪１０４が形成され、この係止爪１０４は係止片１０５上に突設されているが、この係止片１０５は２本の切欠き１０６、１０６にて形成され、弾性を有している。そして、係止爪１０４は上方に向かって傾斜しているために、換気装置本体１０７のアダプタ１０１への取り付けるの際には、係止片１０５が押されながら挿入され、完全に挿入された状態で係止爪１０４と係止孔１０２が完全に係合して取り付けが完了するようになっている。
【０００５】
また、アダプタ１０１から換気装置本体１０７を取り外す際には、係止片１０５を換気装置本体１０７の内側へたわませることによって、係止爪１０４と係止孔１０２との係合を解除し、その後、換気装置本体１０７をスライドさせて取り外すようになっている。
【特許文献１】特許第２８２６２４７号公報（[００２０]、第２図）
【発明の開示】
【発明が解決しようとする課題】
【０００６】
このような従来の換気装置では、アダプタ１０１から換気装置本体１０７を取り外す際、係止爪１０４が突設されている係止片１０５を前記換気装置本体１０７の内側へたわませて、前記係止爪１０４と前記アダプタ１０１に設けられている係止孔１０２の係合を解除するが、前記係止片１０５について前記換気装置本体１０７の内側へたわませる際、たわませ過ぎるのを防止する構成でないため、前記係止片１０５を前記換気装置本体１０７の内側にたわませた時、係止片１０５が折れたり、折れないまでも前記係止片１０５が白化し、前記換気装置本体１０７の内側に変形した状態が続く、すなわち、塑性変形してしまい、前記係止爪１０４と前記係止孔１０２の係合不足が発生し、換気装置本体１０７の取り付けねじをすべて外したときに、換気装置本体１０７が自然落下するという課題がある。
【０００７】
また、係止片１０５は本体１０７の内側へたわませるため、片手で換気装置本体１０７を支えながら、もう片方の手で係止片１０５を押すこととなり、両手での作業となり、外しにくいという課題がある。
【０００８】
本発明は、このような従来の課題を解決するものであり、アダプタ１０１から換気装置本体１０７取り外す際、係止片１０５が折れない、または、塑性変形をせずに、常に係止爪と係止孔の係合を保つことができ、換気装置本体１０７を取り付けるねじを外しても、換気装置本体１０７の自然落下を防止でき、安全性の高い、かつアダプタ１０１と換気装置本体１０７の取り外し作業も容易な換気装置を提供することを目的とする。
【課題を解決するための手段】
【０００９】
本発明の換気装置は、上記目的を達成するために、天井面の開口部から天井裏に突設され、下面に吸込口、一側面に吐出口を設けた箱体状のフランジを有した樹脂製のフレームと、前記フレーム内部に設けられ、下面に前記吸込口と一側面に前記吐出口と連通する送風機吐出口を有したケーシング内部に回転羽根を設けた送風機と、前記吐出口から突設され、屋外に連通したダクトを接続する樹脂製のアダプタを備え、前記フレームに接触する側の前記アダプタに凹部と係止リブを設け、前記フレームには、可とう性を付与するための切り欠きを有した係止片を設け、前記フレームに前記アダプタを係合させるときは前記係止爪と前記係止リブとを係合させ、前記係止片を前記フレーム内側から押してたわませることで前記係止爪と前記係止リブとの係合を外すものである。
【００１０】
また、他の手段は、アダプタの凹部に、フランジと係止リブとの間に突起部を設けたものである。
【００１１】
また、他の手段は、係止爪と係止リブのそれぞれにお互い接触する面に、接触して係合を誘導する勾配部を設けたものである。
【００１２】
また、他の手段は、勾配部を、係止爪は上方から下方に向かいアダプタ側に傾斜させ、係止リブは下方から上方に向かいフレーム側に傾斜させたものである。
【００１３】
また、他の手段は、フレームのフランジに、係止片を動かす向きを表示する矢印表示を設けたものである。
【００１４】
また、他の手段は、アダプタとフレームが係合時においては係止リブと係止爪との間は隙間を有するものである。
【００１５】
また、他の手段は、フレームの材質を、軟質の樹脂で構成したものである。
【００１６】
また、他の手段は、フレーム内側の係止片に、滑り止め部を設けたものである。
【００１７】
また、他の手段は、フランジの係止片が接触する面に、接触したら音がなる確認音手段を設けたものである。
【００１８】
また、他の手段は、アダプタの左右端面にアダプタ誘導溝、フレーム側にフレーム誘導溝を設けたものである。
【発明の効果】
【００１９】
本発明によれば、天井面の開口部から天井裏に突設され、下面に吸込口、一側面に吐出口を設けた箱体状のフランジを有した樹脂製のフレームと、前記フレーム内部に設けられ、下面に前記吸込口と一側面に前記吐出口と連通する送風機吐出口を有したケーシング内部に回転羽根を設けた送風機と、前記吐出口から突設され、屋外に連通したダクトを接続する樹脂製のアダプタを備え、前記フレームに接触する側の前記アダプタに凹部と係止リブを設け、前記フレームには、可とう性を付与するための切り欠きを有した係止片を設け、前記フレームに前記アダプタを係合させるときは前記係止爪と前記係止リブとを係合させ、前記係止片を前記フレーム内側から押してたわませることで前記係止爪と前記係止リブとの係合を外すことにより、係止片を折ることなく、かつ、塑性変形させることなく、係止爪と係止リブとの係合を外すことができるという効果のある換気装置を提供することができる。
【００２０】
また、アダプタの凹部には、フランジと係止リブとの間に突起部を設けたことにより、係止片を、少ない可動範囲で、係止リブと係止爪との係合を外すことができるという効果のある換気装置を提供することができる。
【００２１】
また、係止爪と係止リブのそれぞれにお互い接触する面に、接触して係合を誘導する勾配部を設けたことにより、係止リブと係止爪を、スムーズに移動させることができるので、塑性変形を促進させることなく、係合を外すことができるという効果のある換気装置を提供することができる。
【００２２】
また、勾配部を、係止爪は上方から下方に向かいアダプタ側に傾斜させ、係止リブは下方から上方に向かいフレーム側に傾斜させたことにより、係止リブと係止爪を、スムーズに移動させることができるので、塑性変形を促進させることなく、係合を外すことができるという効果のある換気装置を提供することができる。
【００２３】
また、フレームのフランジに、係止片を動かす向きを表示する矢印表示を設けたことにより、係止片を、確実に正しい方向に押すことができるので、係止爪を折ることなく、かつ、塑性変形させることなく、係合を外すことができるという効果のある換気装置を提供することができる。
【００２４】
また、アダプタとフレームが係合時においては係止リブと係止爪との間は隙間を有することにより、係止爪に応力がかからないため、経時変化による係止爪の変形を防止できるという効果のある換気装置を提供することができる。
【００２５】
また、フレームの材質を、軟質の樹脂で構成したことにより、係止片が割れにくく、変形しにくいため耐久性の向上を図ることができるという効果のある換気装置を提供することができる。
【００２６】
また、フレーム内側の係止片に、滑り止め部を設けたことにより、係止片を、確実に押すことができるという効果のある換気装置を提供することができる。
【００２７】
また、フランジの係止片が接触する面に、接触したら音がなる確認音手段を設けたことにより、係止片を、確実に適正な位置まで押し、係合したことが確認できるという効果のある換気装置を提供することができる。
【００２８】
また、アダプタの左右端面にアダプタ誘導溝、フレーム側にフレーム誘導溝を設けたことにより、フレームをアダプタに接続する際、スムーズに適正な位置に係合することができ、またフレームとアダプタとの間に隙間を発生しにくいため、接続作業が容易でフレームとアダプタからの風漏れを防ぐという効果のある換気装置を提供することができる。
【発明を実施するための最良の形態】
【００２９】
本発明の換気装置は、天井面の開口部から天井裏に突設され、下面に吸込口、一側面に吐出口を設けた箱体状のフランジを有した樹脂製のフレームと、前記フレーム内部に設けられ、下面に前記吸込口と一側面に前記吐出口と連通する送風機吐出口を有したケーシング内部に回転羽根を設けた送風機と、前記吐出口から突設され、屋外に連通したダクトを接続する樹脂製のアダプタを備え、前記フレームに接触する側の前記アダプタに凹部と係止リブを設け、前記フレームには、可とう性を付与するための切り欠きを有した係止片を設け、前記フレームに前記アダプタを係合させるときは前記係止爪と前記係止リブとを係合させ、前記係止片を前記フレーム内側から押してたわませることで前記係止爪と前記係止リブとの係合を外す構成としたものであり、フレームにアダプタを係合させるときは係止爪と係止リブとを係合させ、係止片をフレーム内側から押してたわませることで係止爪がフレーム内側にたわみ、係止リブとの係合が外れるという作用を有する。
【００３０】
また、アダプタの凹部には、フランジと係止リブとの間に突起部を設けたものであり、アダプタとフレームの係合を外す時、突起部を支点として係止片を押すことにより係止片がたわみ、係止爪の係合を外すことができる。
【００３１】
また、係止爪と係止リブのそれぞれにお互い接触する面に、接触して係合を誘導する勾配部を設けたものであり、係止リブの勾配の傾斜部に、係止爪の勾配の傾斜部を接触させスライドさせることにより、アダプタとフレームを係合するという作用を有する。
【００３２】
また、勾配部を、係止爪は上方から下方に向かいアダプタ側に傾斜させ、係止リブは下方から上方に向かいフレーム側に傾斜させたこととしたものであり、係止リブの勾配の傾斜部に、係止爪の勾配の傾斜部を接触させスライドさせることにより、アダプタとフレームを係合するという作用を有する。
【００３３】
また、フレームのフランジに、係止片を動かす向きを表示する矢印表示を設けたものであり、フレームとアダプタの係合を外す際、係止片の押す方向をフランジの矢印表示を目視して、正規の方向に係止片を押すことができる。
【００３４】
また、アダプタとフレームが係合している時は係止リブと係止爪との間は隙間を有するものであり、係止リブと係止爪との間に隙間を有することにより、係合時に係止爪に負荷がかからないという作用を有する。
【００３５】
また、フレームの材質を、軟質の樹脂で構成したこととしたものであり、軟質の樹脂のため、曲げやすく、係止片をたわませる操作が容易に行うことができるという作用を有する。
【００３６】
また、フレーム内側の係止片に、滑り止め部を設けたこととしたものであり、係止片を押す際、滑り止め部に指を接触させて押すことができる。
【００３７】
また、フランジの係止片が接触する面に、接触したら音がなる確認音手段を設けたこととしたものであり、係止片を押して、フランジの確認音手段に接触すると音がなるという作用を有する。
【００３８】
また、アダプタの左右端面にアダプタ誘導溝、フレーム側にフレーム誘導溝を設けたこととしたものであり、アダプタの左右端面のアダプタ誘導溝に、フレーム側のフレーム誘導溝を係合してスライドさせ、アダプタとフレームを係合するという作用を有する。
【００３９】
以下、本発明の実施の形態について、図面を参照しながら説明する。
【００４０】
（実施の形態１）
図１に示すように、天井１面の開口部２から天井１裏に突設され、下面３に吸込口４、一側面に吐出口５を設けた箱体状のフランジ６を有した樹脂製のフレーム７と、フレーム７内部に設けられ、下面３に吸込口４と一側面に吐出口５と連通する送風機吐出口８を有したケーシング９内部に回転羽根１０を設けた送風機１１と、吐出口５から突設され、屋外に連通したダクト１２を接続する樹脂製のアダプタ１３を備え、アダプタ１３の左右端面にはアダプタ１３とフレーム７の取り付け時にフレーム７をアダプタ１３に誘導するガイドの役割のアダプタ誘導溝１４、フレーム７側にフレーム誘導溝１５を設けている。
【００４１】
また、図２〜３に示すようにフレーム７に接触する側のアダプタ１３には凹部１６と係止リブ１７を設け、フランジ６と係止リブ１７との間には突起部１８がある。そして、図５に示すようにフレーム７には、可とう性を付与するための切り欠き１９を有した係止片２０を設けており、この係止片２０の内側には、滑り止め部２１を設けている。
【００４２】
また、図４に示すように、係止片２０には係止リブ１７と係合する係止爪２２を設け、そして、係止爪２２と係止リブ１７のそれぞれにお互い接触する面２３には、接触して係合を誘導する勾配部２９を設けているが、この勾配部２９の係止爪２２は上方から下方に向かいアダプタ１３側に傾斜させた係止爪傾斜部２４を有し、係止リブ１７は下方から上方に向かいフレーム７側に傾斜させた係止リブ傾斜部２５を有した構成としており、係止リブ１７には、係合時に係止片２０と接触する確認音手段２７を設けている。
【００４３】
また、図５のようにフレーム７のフランジ６には、フレーム７とアダプタ１３を外す際に、係止片２０を動作させる向きを表示する矢印表示２６を設けている。
【００４４】
なお、この矢印表示２６は刻印だけでなくラベルの貼り付けにしてもよい。
【００４５】
上記構成において、施工時においてアダプタ１３にフレーム７を取り付けるときには、アダプタ１３の左右端面のアダプタ誘導溝１４に、フレーム７側のフレーム誘導溝１５を係合してスライドさせ、フレーム７はアダプタ１３と隙間を空けることなく誘導されるので風漏れを防ぐことになり、また、係止リブ１７と係止爪２２は互いに係止リブ傾斜部２５と係止爪傾斜部２４を接触させスライドさせているので、引っ掛かりがなく誘導され、係止リブ１７と係止爪２２を塑性変形させることなく係合できる。
【００４６】
そして、係止リブ１７と係止爪２２がフレーム７側に係合されるときには、係止爪２２がたわみながら確認音手段２７と係止爪２２が接触し、音がなるため、係合したことが確認できる。係合後には、図６に示すように係止爪２２と係止リブ１７との間に隙間２８ができ、係合状態においては係止爪２２には自重やアダプタ１３の取り付け位置のばらつきが生じてアダプタ１３の位置がずれたとしても係止リブ１７に対する応力がかからないため、経時変化による係止爪２２の変形を防止できるようになっている。
【００４７】
また、アダプタ１３とフレーム７の係合を外すときには、図４、５に示すように、フランジ６の矢印表示２６を目視して確実に押す方向を確認しながら、係止片２０の下部を押し、その際には滑り止め部２１に指を接触させて押すため、指が滑ることなく、押す方向を間違えることなく、確実に押すことができる。また、係止片２０をフランジ６方向に押すと、アダプタ１３にある突起部１８と係止片２０が接触し、突起部１８が支点となって係止片２０がたわみ、少ない移動距離で係止リブ１７と係止爪２２の係合を外れる。そして、係止片２０はたわませすぎた場合でもフランジ６に接触するため、係止片２０をたわませ過ぎたことによる折れ、変形を防止できる。
【００４８】
また、係止片２０をフランジ６側に押すために作業を行う際、フランジ６をつかみながら係止片２０を押せるため、外す作業が片手で行うことができる。
【００４９】
また、フレーム７の材質はたわみやすい材質が適当であり、ＰＰのような曲げ強さの小さい樹脂にて作製されている。
【００５０】
以上のように本発明の実施の形態の換気装置においては、少ない可動範囲で係止片２０を折ることなく、かつ、塑性変形させることなく、アダプタ１３とフレーム７の係合を確実に保つことができ、また、フレーム７を天井に取り付けるねじを外しても、係止爪２２と係止リブ１７が確実に係合されるのでフレーム７の天井からの自然落下を防止できるため、安全で耐久性の向上をはかることができ、かつアダプタ１３とフレーム７の取り付け、取り外し作業も容易に行うことができる。
【産業上の利用可能性】
【００５１】
本発明にかかる換気装置のアダプタとフレームの取り付け構造は、天井等に換気装置本体のフレームを設置してアダプタを取り付けることによって、空調機、送風機等に設けられているアダプタとフレームを取り付ける構造にも適用できる。
【図面の簡単な説明】
【００５２】
【図１】本発明の実施の形態１の換気装置のアダプタとフレームと取り付ける状態を示す斜視図
【図２】同換気装置のアダプタを示す斜視図
【図３】同換気装置のアダプタの凹部を示す拡大詳細図
【図４】同換気装置のアダプタとフレームの係合する状態を示す拡大詳細図
【図５】同換気装置の係止片を示す拡大詳細斜視図
【図６】同換気装置のアダプタとフレームの係合する状態を示す拡大詳細図
【図７】従来の換気装置のアダプタとフレームと取り付ける状態を示す斜視図
【符号の説明】
【００５３】
１    天井
２    開口部
３    下面
４    吸込口
５    吐出口
６    フランジ
７    フレーム
８    送風機吐出口
９    ケーシング
１０  回転羽根
１１  送風機
１２  ダクト
１３  アダプタ
１４  アダプタ誘導溝
１５  フレーム誘導溝
１６  凹部
１７  係止リブ
１８  突起部
１９  切り欠き
２０  係止片
２１  滑り止め部
２２  係止爪
２３  面
２４  係止爪傾斜部
２５  係止リブ傾斜部
２６  矢印表示
２７  確認音手段
２８  隙間
２９  勾配部
【図１】
0005194850.tif 000002
【図２】
0005194850.tif 000003
【図３】
0005194850.tif 000004
【図４】
0005194850.tif 000005
【図５】
0005194850.tif 000006
【図６】
0005194850.tif 000007
【図７】
0005194850.tif 000008